(57)【要約】【課題】懸濁物質が存在する水系に対して、スケール防止剤、或いはスケール防止剤と吸着消耗抑制剤とを添加するスケール防止処理において、処理対象水系のＳＳ濃度に見合った薬注制御を行って、添加薬剤の過不足を防止して安定かつ効率的なスケール防止処理を行う。【解決手段】水系のＳＳ濃度を測定し、測定されたＳＳ濃度に応じてスケール防止剤の添加量を調整する。或いは、ＳＳ濃度に応じてスケール防止剤及び／又は吸着消耗抑制剤の添加量を調整する。或いは、ＳＳ濃度が所定値を超えたときに吸着消耗抑制剤を添加する。【選択図】図１
2011206723.tif 000002
【特許請求の範囲】
【請求項１】
懸濁物質が存在する水系に対して、スケール防止剤を添加するスケール防止方法において、
該水系の懸濁物質濃度を測定し、測定された懸濁物質濃度に応じて該スケール防止剤の添加量を調整することを特徴とするスケール防止方法。
【請求項２】
懸濁物質が存在する水系に対して、スケール防止剤及び懸濁物質へのスケール防止剤の吸着消耗を抑制する吸着消耗抑制剤を添加するスケール防止方法において、
該水系の懸濁物質濃度を測定し、該懸濁物質濃度に応じて該スケール防止剤及び／又は吸着消耗抑制剤の添加量を調整することを特徴とするスケール防止方法。
【請求項３】
懸濁物質が存在する水系に対して、スケール防止剤及び懸濁物質へのスケール防止剤の吸着消耗を抑制する吸着消耗抑制剤を添加するスケール防止方法において、
該水系の懸濁物質濃度を測定し、該懸濁物質濃度が所定値を超えたときに該吸着消耗抑制剤を添加することを特徴とするスケール防止方法。
【請求項４】
前記水系は鉄を主体とする懸濁物質が１５０ｍｇ／Ｌ以上存在することを特徴とする請求項１ないし３のいずれか１項に記載のスケール防止方法。
【請求項５】
前記懸濁物質が存在する水系が、製鉄所の集塵水系であることを特徴とする請求項１ないし４のいずれか１項に記載のスケール防止方法。
【請求項６】
前記スケール防止剤が、ホスホン酸系化合物であることを特徴とする請求項１ないし５のいずれか１項に記載のスケール防止方法。
【請求項７】
前記吸着消耗抑制剤が、アクリル酸とスルホン基含有モノマーとの共重合体であることを特徴とする請求項１ないし６のいずれか１項に記載のスケール防止方法。
【発明の詳細な説明】
【技術分野】
【０００１】
本発明は、懸濁物質が存在する水系にスケール防止剤を添加するスケール防止方法に係り、特に、添加したスケール防止剤が懸濁物質（ＳＳ）に吸着消耗されてその効果が低下する水系に対して、安定したスケール防止処理を行う方法に関する。
【背景技術】
【０００２】
従来、スケール生成傾向を示す水系における炭酸カルシウムや硫酸カルシウムなどのカルシウム系スケールの発生防止のために、スケール防止剤としてホスホン酸やホスホン酸塩を添加することが知られている。
また、このようなスケール防止剤は、懸濁物質が存在する水系においては、懸濁物質（ＳＳ）に吸着されて消耗することも知られており、このＳＳによるスケール防止剤の吸着、消耗を防止するために吸着消耗抑制剤として低分子水溶性ポリマーを併用することが提案されている（特許文献１）。
【先行技術文献】
【特許文献】
【０００３】
【特許文献１】特開２００３−５３３８９号公報
【発明の概要】
【発明が解決しようとする課題】
【０００４】
従来において、懸濁物質が存在する水系に対するスケール防止処理では、スケール防止剤等の薬剤の添加量を増加させるとスケール防止効果が向上することは知られていたが、ＳＳ濃度に応じて薬剤添加量を制御するという技術思想はなく、また、スケール防止剤と併用する吸着消耗抑制剤についても、ＳＳ濃度に応じて薬注制御するという考えはなされていなかった。
【０００５】
即ち、従来においては、スケール防止剤や吸着消耗抑制剤の添加量は、予め想定された処理対象水系の最もＳＳ濃度の高い条件に対応するように薬剤添加量が決定されており、この結果、処理対象水系のＳＳ濃度の変動で、ＳＳ濃度が低い場合には、薬剤の過剰注入となり、また、ＳＳ濃度が想定された濃度よりも上昇した場合には、薬注不足のために十分なスケール防止効果が得られないという問題が生じていた。
【０００６】
本発明は上記従来の問題点を解決し、懸濁物質が存在する水系に対して、スケール防止剤、或いはスケール防止剤と吸着消耗抑制剤とを添加するスケール防止処理において、処理対象水系のＳＳ濃度に見合った薬注制御を行って、添加薬剤の過不足を防止して安定かつ効率的なスケール防止処理を行う方法を提供することを課題とする。
【課題を解決するための手段】
【０００７】
本発明者らは上記課題を解決すべく鋭意検討を重ねた結果、処理対象水系のＳＳ濃度を測定し、この測定結果に応じてスケール防止剤或いはスケール防止剤と吸着消耗抑制剤の薬注制御を行うことにより、ＳＳ濃度が変動する処理対象水系においても、対象水系のＳＳ濃度に見合った薬注制御を行って、添加薬剤の過不足を防止して安定かつ効率的なスケール防止処理を行うことができることを見出した。
【０００８】
本発明はこのような知見に基いて達成されたものであり、以下を要旨とする。
【０００９】
［１］  懸濁物質が存在する水系に対して、スケール防止剤を添加するスケール防止方法において、該水系の懸濁物質濃度を測定し、測定された懸濁物質濃度に応じて該スケール防止剤の添加量を調整することを特徴とするスケール防止方法。
【００１０】
［２］  懸濁物質が存在する水系に対して、スケール防止剤及び懸濁物質へのスケール防止剤の吸着消耗を抑制する吸着消耗抑制剤を添加するスケール防止方法において、該水系の懸濁物質濃度を測定し、該懸濁物質濃度に応じて該スケール防止剤及び／又は吸着消耗抑制剤の添加量を調整することを特徴とするスケール防止方法。
【００１１】
［３］  懸濁物質が存在する水系に対して、スケール防止剤及び懸濁物質へのスケール防止剤の吸着消耗を抑制する吸着消耗抑制剤を添加するスケール防止方法において、該水系の懸濁物質濃度を測定し、該懸濁物質濃度が所定値を超えたときに該吸着消耗抑制剤を添加することを特徴とするスケール防止方法。
【００１２】
［４］  前記水系は鉄を主体とする懸濁物質が１５０ｍｇ／Ｌ以上存在することを特徴とする［１］ないし［３］のいずれかに記載のスケール防止方法。
【００１３】
［５］  前記懸濁物質が存在する水系が、製鉄所の集塵水系であることを特徴とする［１］ないし［４］のいずれかに記載のスケール防止方法。
【００１４】
［６］  前記スケール防止剤が、ホスホン酸系化合物であることを特徴とする［１］ないし［５］のいずれかに記載のスケール防止方法。
【００１５】
［７］  前記吸着消耗抑制剤が、アクリル酸とスルホン基含有モノマーとの共重合体であることを特徴とする［１］ないし［６］のいずれかに記載のスケール防止方法。
【発明の効果】
【００１６】
本発明のスケール防止方法によれば、ＳＳが存在する水系に対して、スケール防止剤、或いはスケール防止剤と吸着消耗抑制剤とを添加するスケール防止処理において、処理対象水系のＳＳ濃度に見合った薬注制御を行って、添加薬剤の過不足を防止して安定かつ効率的なスケール防止処理を行うことができる。
【図面の簡単な説明】
【００１７】
【図１】実施例におけるスケール付着試験に用いた反応容器を示す模式図である。
【発明を実施するための形態】
【００１８】
以下に本発明のスケール防止方法の実施の形態を詳細に説明する。
【００１９】
［懸濁物質が存在する水系］
本発明において、処理対象とする懸濁物質が存在する水系とは、懸濁物質（ＳＳ）が存在する水系であり、特に制限はないが、本発明は特にスケール防止剤の吸着、消耗が激しい鉄を主体とするＳＳを含む水系に有効である。
また、処理対象水系におけるＳＳ濃度には特に制限はないが、ＳＳ濃度が高い場合に本発明を採用することによる効果がより有効に発揮されることから、本発明の処理対象水系は、鉄を主体とするＳＳが１００ｍｇ／Ｌ以上、特に１５０〜１０００ｍｇ／Ｌ程度存在する水系が挙げられる。
このような水系としては、具体的には、製鉄所の高炉集塵水系や転炉集塵水系が挙げられる。ただし、本発明の処理対象水系は、上記の集塵水系に何ら限定されるものではない。
【００２０】
［スケール］
上述のような処理対象水系において析出するスケールは、主に炭酸カルシウム、硫酸カルシウム、フッ化カルシウムなどの水に難溶性のカルシウム化合物を主体とするカルシウムスケールであり、これらのスケールには通常マグネシウム、アルミニウム、鉄、シリカなどのカルシウム以外の成分が含まれている。
【００２１】
［スケール防止剤］
本発明で用いるスケール防止剤には特に制限はないが、鉄を主体としたＳＳを含む水系におけるスケール防止効果に優れる点において、ホスホン酸系化合物を用いることが好ましい。
【００２２】
用いるホスホン酸系化合物の種類には特に制限はないが、例えば、１−ヒドロキシエチリデン−１，１−ジホスホン酸及びその塩、２−ホスホノブタン−１，２，４−トリカルボン酸及びその塩、アミノトリメチレンホスホン酸及びその塩、ヘキサメチレン−Ｎ，Ｎ，Ｎ，Ｎ−ジアミン−テトラメチレンホスホン酸及びその塩などが挙げられ、このうち炭酸カルシウムスケールの防止効果の面からは、１−ヒドロキシエチリデン−１，１−ジホスホン酸及びその塩、２−ホスホノブタン−１，２，４−トリカルボン酸及びその塩が好ましく、特に２−ホスホノブタン−１，２，４−トリカルボン酸及びその塩が好ましい。なお、ホスホン酸の塩としては、ホスホン酸のナトリウム塩、カリウム塩等のアルカリ金属塩、アンモニウム塩等が好ましい。
【００２３】
これらのスケール防止剤は１種を単独で用いても良く、２種以上を併用しても良い。
これらのスケール防止剤は、通常、固形分濃度５〜５０重量％程度の水溶液として添加するのが、取り扱い上有利である。
【００２４】
［吸着消耗抑制剤］
スケール防止剤と共に併用する吸着消耗抑制剤としても、スケール防止剤のＳＳへの吸着、消耗を抑制する効果を奏するものであればよく、特に制限はないが、スケール防止剤の吸着、消耗抑制効果に優れることから、アクリル酸と、アクリルアミドメチルプロパンスルホン酸、ヒドロキシアリルオキシプロパンスルホン酸、イソプレンスルホン酸等のスルホン基含有モノマーとの共重合体が好ましく、特に、アクリル酸と２−アクリルアミド−２−メチルプロパンスルホン酸との共重合体が有効である。
【００２５】
アクリル酸とスルホン基含有モノマーとの共重合体の分子量としては重量の平均分子量で１０００〜１０００００が好ましく、また、アクリル酸とスルホン基含有モノマーとの共重合比は、アクリル酸：スルホン基含有モノマー＝５０〜９５：５０〜５（モル比）であることが好ましい。
【００２６】
これらの吸着消耗抑制剤についても、１種を単独で用いても良く、２種以上を併用しても良い。
【００２７】
吸着消耗抑制剤もまた、固形分濃度５〜５０重量％程度の水溶液として添加するのが取り扱い上有利である。
【００２８】
［ＳＳ濃度の測定］
本発明においては、処理対象水系のＳＳ濃度を測定し、測定されたＳＳ濃度に基いて薬注制御を行う。
処理対象水系のＳＳ濃度の測定手段としては、特に制限はなく、濁度計、ＳＳ計等を用いることができる。
【００２９】
ＳＳ濃度の測定は常時行っても、例えば１０〜６０分に１回の頻度で間欠的に行っても良いが、ＳＳ濃度の変動の激しい処理対象水系に対しては連続的に測定することが好ましい。
【００３０】
［薬注制御］
＜スケール防止剤の薬注制御＞
本発明においては、処理対象水系のＳＳ濃度の測定値に基いて、スケール防止剤の薬注制御を行う。
【００３１】
その制御基準については特に制限はないが、処理対象水系のＳＳ濃度が高い場合には、スケール防止剤の高濃度添加とし、低い場合には、スケール防止剤の低濃度添加とする、或いは、ＳＳ濃度が増加傾向にある場合にはスケール防止剤の添加量を増加させ、ＳＳ濃度が減少傾向にある場合にはスケール防止剤の添加量を低減するといった薬注制御を行うことが好ましい。
【００３２】
処理対象水系のＳＳ濃度に対するスケール防止剤の添加量については、用いるスケール防止剤の種類、処理対象水系のＳＳ濃度以外の水質やＳＳの性状等により異なり、一概に規定することはできないが、例えば、次のような添加量を採用することができる。
【００３３】
ＳＳ濃度が２００ｍｇ／Ｌ以下の場合：スケール防止剤の添加量は０．２〜２ｍｇ／Ｌ
ＳＳ濃度が２００ｍｇ／Ｌを超え５００ｍｇ／Ｌ以下の場合：スケール防止剤の添加量は０．５〜５ｍｇ／Ｌ
ＳＳ濃度が５００ｍｇ／Ｌを超え１０００ｍｇ／Ｌ以下の場合：スケール防止剤の添加量は１〜１０ｍｇ／Ｌ
ＳＳ濃度が１０００ｍｇ／Ｌを超える場合：スケール防止剤の添加量は２〜２０ｍｇ／Ｌ
【００３４】
或いは、処理対象水系のＳＳ濃度（ｍｇ／Ｌ）に対して、係数０．００２〜０．０１を乗じたスケール防止剤添加量（ｍｇ／Ｌ）とする比例制御とすることもできる。
【００３５】
スケール防止剤添加量は連続的に変化させても、段階的に変化させても良い。
【００３６】
＜吸着消耗抑制剤の薬注制御＞
本発明においては、スケール防止剤と共に吸着消耗抑制剤を併用する場合、処理対象水系のＳＳ濃度の測定値に基いて、吸着消耗抑制剤の薬注制御を行う。
その制御基準については特に制限はないが、処理対象水系のＳＳ濃度が高い場合には、吸着消耗抑制剤の高濃度添加とし、低い場合には、吸着消耗抑制剤の低濃度添加とする、或いは、ＳＳ濃度が増加傾向にある場合には吸着消耗抑制剤の添加量を増加させ、ＳＳ濃度が減少傾向にある場合には吸着消耗抑制剤の添加量を低減するといった薬注制御を行うか、或いは、測定されたＳＳ濃度が、予め設定した所定値を超えた場合に吸着消耗抑制剤を添加し、この所定値以下の場合には吸着消耗抑制剤の添加を停止するといった薬注制御が挙げられる。
【００３７】
処理対象水系のＳＳ濃度に対する吸着消耗抑制剤の添加については、用いる吸着消耗抑制剤の種類、併用するスケール防止剤の種類と添加量、処理対象水系のＳＳ濃度以外の水質やＳＳの性状等により異なり、一概に規定することはできないが、例えば、次のような添加量を採用することができる。
【００３８】
ＳＳ濃度が２００ｍｇ／Ｌ以下の場合：吸着消耗抑制剤の添加量は０．２〜２ｍｇ／Ｌ
ＳＳ濃度が２００ｍｇ／Ｌを超え５００ｍｇ／Ｌ以下の場合：吸着消耗抑制剤の添加量は０．５〜５ｍｇ／Ｌ
ＳＳ濃度が５００ｍｇ／Ｌを超え１０００ｍｇ／Ｌ以下の場合：吸着消耗抑制剤の添加量は１〜１０ｍｇ／Ｌ
ＳＳ濃度が１０００ｍｇ／Ｌを超える場合：吸着消耗抑制剤の添加量は２〜２０ｍｇ／Ｌ
【００３９】
或いは、処理対象水系のＳＳ濃度（ｍｇ／Ｌ）に対して、係数０．００２〜０．０１を乗じたスケール防止剤添加量（ｍｇ／Ｌ）とする比例制御とすることもできる。
【００４０】
また、測定されたＳＳ濃度が、予め設定した所定値を超えた場合に吸着消耗抑制剤を添加し、この所定値以下の場合には吸着消耗抑制剤の添加を停止するといった薬注制御を行う場合、その所定値及びその場合の吸着消耗抑制剤の添加量についても、用いる吸着消耗抑制剤の種類、併用するスケール防止剤の種類と添加量、処理対象水系のＳＳ濃度以外の水質やＳＳの性状等により異なり、一概に規定することはできないが、例えばＳＳ濃度の所定値については５０〜２００ｍｇ／Ｌの範囲とし、この所定値を超えた場合に、吸着消耗抑制剤を０．５〜５ｍｇ／Ｌ添加する薬注制御を行う条件が挙げられる。
【００４１】
このように吸着消耗抑制剤添加量の制御は連続的に行っても段階的に行っても良い。
【００４２】
本発明において、スケール防止剤と吸着消耗抑制剤とを併用する場合、これらは別々に処理対象水系に添加しても良く、予め混合して１剤化して添加しても良い。ただし、スケール防止剤と吸着消耗抑制剤とを各々独立に薬注制御する場合には、これらは別々に添加される。
通常、処理対象水系へのスケール防止剤の添加量は０．１〜２５ｍｇ／Ｌの範囲とすることが好ましく、スケール防止剤と吸着消耗抑制剤とを併用する場合、スケール防止剤：吸着消耗抑制剤＝１：０．２〜２（重量比）の比率で用いることが好ましいことから、上記処理対象水系のＳＳ濃度に基く薬注制御は、この好適な添加量の範囲で行うことが好ましい。
【実施例】
【００４３】
以下に実験例、実施例及び比較例を挙げて本発明をより具体的に説明する。
【００４４】
［実験例］
炭酸カルシウムの析出試験により、鉄化合物を主体としたＳＳが存在する水系に対する各種の薬剤のスケール防止効果を確認する実験を行った。鉄化合物を主体としたＳＳとしては、ＦｅＯ、Ｆｅ３Ｏ４、ＦｅＯＯＨ等を成分とした実機ＳＳを用いた。
【００４５】
最終的にビーカー内試験水量が５００ｍｌとなるように量を調整した純水を予め注入した５００ｍｌネジ口ビーカーを、５０℃恒温槽に入れ、ビーカー内を攪拌した。後で添加するＭアルカリ溶液（重炭酸ナトリウム水溶液）およびＣａ硬度溶液（塩化カルシウム水溶液）も、５０℃となるように保温しておいたものを使用した。攪拌は、鉄成分の付着を防ぐため、マグネチックスターラーは用いず、攪拌羽を用いて行った。試験水が５０℃となった後、重炭酸ナトリウム水溶液を調整後の試験水の重炭酸ナトリウム濃度が３００ｍｇ／Ｌとなるように添加した。次に実機ＳＳを表１〜３に示す濃度となるように添加した（ただし、Ｎｏ．１３，１５，１９ではＳＳ添加せず。）。次に、評価薬剤を表１〜３に示す濃度となるように添加した直後（ただし、Ｎｏ．１（ブランク）では薬剤添加せず。）、塩化カルシウム水溶液を試験水のＣａ硬度が２００ｍｇ／Ｌ  ａｓ  ＣａＣＯ３となるように添加し、１分間攪拌した。ｐＨは９．０５となった。１分後、懸濁液をポアサイズ０．１μｍのミリポアフィルターで濾過し、濾液中のＣａ硬度をＪＩＳ  Ｋ０１０１の分析方法にて測定し、析出抑制効果を確認した。
【００４６】
ＳＳは炭酸カルシウムの析出に巻き込まれスケールとして付着することから、炭酸カルシウムの析出防止によりスケール付着量を低減することができるため、濾液のカルシウム硬度が高いものほどカルシウム析出量が小さく、スケール防止効果に優れると評価することができる。
結果を表１〜３に示す。
【００４７】
なお、以下において、「ホスホノブタントリカルボン酸」は、「２−ホスホノブタン−１，２，４−トリカルボン酸」であり、「ヒドロキシエチリデンジホスホン酸」は「１−ヒドロキシエチリデン−１，１−ジホスホン酸」であり、「アクリル酸／アクリルアミドメチルプロパンスルホン酸共重合体」の「アクリルアミドメチルプロパンスルホン酸」とは「２−アクリル酸アミド−２−メチルプロパンスルホン酸」で、この共重合体の重量平均分子量は３０００で、アクリル酸：アクリルアミドメチルプロパンスルホン酸の共重合モル比は９２：８である。
【００４８】
【表１】
2011206723.tif 000003
【００４９】
【表２】
2011206723.tif 000004
【００５０】
【表３】
2011206723.tif 000005
【００５１】
表１より、鉄化合物を主体としたＳＳが存在する水系に対するスケール防止効果は、ホスホノブタントリカルボン酸が最も高いことが分かる。また、表１，２より、水系のＳＳ濃度が低い場合には問題はないが、高いとスケール防止剤が吸着、消耗することにより、同じ添加量ではスケール防止効果が低減することが分かる。
表３より、スケール防止剤に吸着消耗抑制剤を併用することにより、懸濁物質が存在する水系におけるスケール防止剤の吸着、消耗が防止されること、吸着消耗抑制剤としては、アクリル酸とスルホン基含有モノマーの共重合体、特にアクリル酸と２−アクリルアミド−２−メチルプロパンスルホン酸を含む共重合体が、ホスホノブタントリカルボン酸のＳＳへの吸着、消耗防止効果が高く、有効成分を多く残留させることで、高いスケール防止効果を得ることができることが分かる。
【００５２】
［実施例・比較例］
＜実施例１〜３、比較例１〜３＞
５０℃の恒温槽内に保持した反応容器内に、予め、下記水質条件Ｉ又はＩＩとなるように、Ｃａ硬度溶液（塩化カルシウム水溶液）とＭアルカリ溶液（重炭酸ナトリウム水溶液）とを添加混合し、表４に示す薬剤とＳＳを表４に示す濃度で添加して試験液を調製した。
ＳＳとしては、実機ＳＳ（転炉集塵水のＳＳ（二次集塵機出口で採取したＳＳを自然沈降させて高濃度にしたもの））を用いた。
【００５３】
水質条件Ｉ：ｐＨ＝８．７
Ｃａ硬度＝２００ｍｇ／Ｌ（ａｓ  ＣａＣＯ３）
Ｍアルカリ度＝４８０ｍｇ／Ｌ（ａｓ  ＣａＣＯ３）
水質条件II：ｐＨ＝８．７
Ｃａ硬度＝２００ｍｇ／Ｌ（ａｓ  ＣａＣＯ３）
Ｍアルカリ度＝２００ｍｇ／Ｌ（ａｓ  ＣａＣＯ３）
【００５４】
試験液を１時間攪拌した後、ポアサイズ０．１μｍメンブレンフィルターで濾過して濾液中の残留Ｃａ硬度をＪＩＳ  Ｋ０１０１の分析方法に従って測定した。この残留Ｃａ硬度の測定値から、下記式に従ってスケール析出抑制率を算出し、結果を表４に示した。このスケール析出抑制率は９０％以上が有効である。
【００５５】
【数１】
2011206723.tif 000006
【００５６】
【表４】
2011206723.tif 000007
【００５７】
表４より明らかなように、ＳＳ濃度が増加しても同一のスケール防止剤添加量とした比較例１〜３では、ＳＳ濃度の高い場合にはスケール防止効果を得ることができないのに対して、ＳＳ濃度が増加した場合には、スケール防止剤添加量を増加させ、更には吸着消耗抑制剤を併用添加した実施例１〜３では、スケール防止効果を十分に得ることができる。
【００５８】
＜実施例４〜７、比較例４，５＞
図１に示す反応容器１を用いてスケール付着試験を行った。
この反応容器１には、Ｃａ硬度溶液（塩化カルシウム水溶液）と、連続薬注用薬剤を含むＭアルカリ溶液（重炭酸ナトリウム水溶液）とを、それぞれ配管１１，１２よりポンプＰ１１，Ｐ１２で連続供給した。懸濁物質としては実機ＳＳ（転炉集塵水のＳＳ）を容器１内の試験液のＳＳ濃度が２００ｍｇ／Ｌとなるように１時間に１回配管１３よりポンプＰ１３で間欠的に添加した。即ち、容器１内の試験液のＳＳ濃度は、１時間に１回のＳＳ投入毎に２００ｍｇ／Ｌとなり、その後はオーバーフローにより低減する。
【００５９】
容器１内試験液のＳＳ濃度を濁度計２で連続測定し、インバーターによるポンプＰ１４の回転数制御で、ＳＳ濃度の測定値と比例する薬注量で追加薬注用薬剤を配管１４より薬注した。この追加薬注用薬剤は、具体的には、ＳＳ濃度の測定値に対して０．２５％となるように０．５ｍｇ／Ｌ添加した。
試験液のＣａ硬度は５００ｍｇ／Ｌ  ａｓ  ＣａＣＯ３、Ｍアルカリ度は５００ｍｇ／Ｌ  ａｓ  ＣａＣＯ３とした。ｐＨは８．８であった。
【００６０】
容器１内の試験液中にＳＵＳ３０４製テストピース３（表面積３１ｃｍ２）を２枚浸漬し、試験後のスケール付着量を測定してスケールの平均付着速度（２０時間でテストピース１ｃｍ２当たりに付着したスケール量）を求めた。
試験時間は２０時間とし、試験中、試験液は攪拌子４により攪拌した。
【００６１】
用いた連続薬注用薬剤の種類及び添加量と、追加薬注用薬剤の種類及び添加量は表５に示す通りであり、各例の平均付着速度と、平均付着速度を無薬注とした比較例４の平均付着速度とから下記式より求めた付着抑制率は表５に示す通りであった。
【００６２】
【数２】
2011206723.tif 000008
【００６３】
【表５】
2011206723.tif 000009
【００６４】
表５より、ＳＳ濃度に対応して添加薬剤濃度を増やすことにより、特に、吸着消耗抑制剤を併用添加することにより、高いスケール防止効果が得られることが分かる。
【００６５】
以上の結果から、本発明に従って、ＳＳ濃度に応じてスケール防止剤や吸着消耗抑制剤の薬注制御を行うことにより、予め過剰量の薬注を行う場合に比べて薬剤使用量を低減することができ、また、薬注不足によるスケール障害も確実に防止することができることが分かる。
【符号の説明】
【００６６】
１  反応容器
２  濁度計
３  テストピース
４  攪拌子
【図１】
2011206723.tif 000010